【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
複数の太陽電池パネルであって、各太陽電池パネルはＤＣ光起電力出力を有する、複数の太陽電池パネルと、
該ＤＣ光起電力出力から電力を受け取るＤＣ光起電力入力と、
少なくとも１つの該ＤＣ光起電力入力に対応する少なくとも１つの実質的に電力同形の光起電力ＤＣ−ＤＣ電力変換器と、
該少なくとも１つの実質的に電力同形の光起電力ＤＣ−ＤＣ電力変換器が対応する、実質的に電力同形の最大光起電力電力点変換器多モード機能の制御回路と、
該少なくとも１つの実質的に電力同形の光起電力ＤＣ−ＤＣ電力変換器に接続される変換された光起電力ＤＣ電力出力と、
該光起電力ＤＣ電力出力に対応する、少なくとも１つの光起電力ＤＣ−ＡＣインバータと、
該少なくとも１つの光起電力ＤＣ−ＡＣインバータに対応する、光起電力ＡＣ電力出力と
を備える、効率的な太陽エネルギー電力システム。
【請求項２】
前記複数の太陽電池パネルは、一連の太陽電池パネルを備え、前記実質的に電力同形の最大光起電力電力点変換器多モード機能の制御回路は、専用の実質的に電力同形の最大光起電力電力点変換器多モード機能の制御回路を備える、請求項１に記載の効率的な太陽エネルギー電力システム。
【請求項３】
前記少なくとも１つの実質的に電力同形の光起電力ＤＣ−ＤＣ電力変換器が対応する前記実質的に電力同形の最大光起電力電力点変換器多モード機能の制御回路は、該少なくとも１つの実質的に電力同形の光起電力ＤＣ−ＤＣ電力変換器が対応する実質的に電力同形の最大光起電力電力点変換器デュアルモード機能の制御回路を備える、請求項１に記載の効率的な太陽エネルギー電力システム。
【請求項４】
光起電力境界条件変換器機能の制御回路をさらに備える、請求項１に記載の効率的な太陽エネルギー電力システム。
【請求項５】
前記実質的に電力同形の最大光起電力電力点変換器多モード機能の制御回路は、
少なくとも約９８％効率の光起電力変換回路と、
少なくとも約９８．５％効率の光起電力変換回路と、
少なくとも約９８％から最大約９９．２％効率の光起電力変換回路と、
少なくとも約９８．５％から最大約９９．２％効率の光起電力変換回路と、
少なくとも約９８％から最大でほぼワイヤ伝送損失効率の光起電力変換回路と、
少なくとも約９８．５％から最大でほぼワイヤ伝送損失効率の光起電力変換回路と
から成る群より選択される、請求項１に記載の効率的な太陽エネルギー電力システム。
【請求項６】
前記実質的に電力同形の最大光起電力電力点変換器多モード機能の制御回路は、
代替モードの光起電力変換器機能の制御回路と、
光起電力インピーダンス変換電力変換の制御回路と、
最大光起電力インバータ電流変換器機能の制御回路と、
最大光起電力電力点変換器機能の制御回路と、
光起電力インバータ動作条件変換器機能の制御回路と、
光起電力負荷インピーダンス増加変換器機能の制御回路、および光起電力負荷インピーダンス減少変換器機能の制御回路の両方と、
従属型最大光起電力電力点変換器機能の制御回路と、
従属型光起電力インバータ動作条件変換器機能の制御回路と、
従属型光起電力負荷インピーダンス増加変換器機能の制御回路と、
従属型光起電力負荷インピーダンス減少変換器機能の制御回路と、
従属型光起電力負荷インピーダンス増加変換器機能の制御回路、および従属型光起電力負荷インピーダンス減少変換器機能の制御回路の両方と、
光起電境界条件変換器機能の制御回路と、
後部光起電力要素保護変換器機能の制御回路と、
光起電力インバータ保護変換器機能の制御回路と、
光起電力インバータ協調変換器機能の制御回路と、
従属型光起電力電圧増加および光起電力電圧減少最大光起電力電力点変換器機能の制御回路と、
最大光起電力インバータ入力電圧光起電力変換器出力電圧機能の制御回路と、
多モード変換器機能の制御回路と、
第１の様式の光起電力ＤＣ−ＤＣ電力変換回路と、第２の様式の光起電力ＤＣ−ＤＣ電力変換回路とを、少なくともいくつかの時点において、代替的に切り替えるように構成される、代替モードの光起電力変換器機能の制御回路と、
後部光起電動作条件変換器機能の制御回路と、
実質的に電力同形の光起電力変換器機能の制御回路と、
光起電無効モード変換器機能の制御回路と、
光起電従属モード変換器機能の制御回路と、
光起電力インバータ従属型変換器機能の制御回路と、
光起電負荷サイクルスイッチの制御回路と、
閾値決定切替式の光起電力変換の制御回路と、
スイッチ頻度変化切替式の光起電力変換の制御回路と、
バーストモード切替式の光起電力変換の制御回路と、
一時的な対立モードの光起電負荷サイクルスイッチの制御回路と、
第１の様式の制御回路と、
第１の様式の光起電力ＤＣ−ＤＣ電力変換と、第２の様式の光起電力ＤＣ−ＤＣ電力変換との間の、該光起電力ＤＣ−ＤＣ変換器のモード遷移に対する特定の負荷サイクルのレベルの時折のバーストのための、バーストモードの制御回路と、
一時的な対立モードの制御回路と、
上記の内容のそれぞれの全ての順列および組み合わせと
から成る群より選択される、実質的に電力同形の最大光起電力電力点変換器多モード機能の制御回路を備える、請求項１に記載の効率的な太陽エネルギー電力システム。
【請求項７】
前記第１の様式の光起電力ＤＣ−ＤＣ電力変換回路と前記第２の様式の光起電力ＤＣ−ＤＣ電力変換回路とを切り替える、変換動作スイッチと、
光起電力ＤＣ−ＤＣ電力変換回路のうちの少なくとも１つの様式をバイパスする、分路スイッチ動作無効化要素と
から成る群より選択される要素をさらに備える、請求項１に記載の効率的な太陽エネルギー電力システム。
【請求項８】
接続ボックスをさらに備える、請求項１に記載の効率的な太陽エネルギー電力システム。
【請求項９】
前記接続ボックスは、個々の太陽電池パネルと物理的に一体化した前記少なくとも１つの実質的に電力同形の光起電力ＤＣ−ＤＣ電力変換器を備える、請求項８に記載の効率的な太陽エネルギー電力システム。
【請求項１０】
前記少なくとも１つの実質的に電力同形の光起電力ＤＣ−ＤＣ電力変換器は、
少なくとも１つの個々のパネル専用の実質的に電力同形の光起電力ＤＣ−ＤＣ電力変換器と、
少なくとも１つの複数パネル専用の実質的に電力同形の光起電力ＤＣ−ＤＣ電力変換器と
から成る群より選択される、請求項１に記載の効率的な太陽エネルギー電力システム。
【請求項１１】
前記少なくとも１つの実質的に電力同形の光起電力ＤＣ−ＤＣ電力変換器に接続された一連の前記複数の太陽電池パネルであって、該一連の該複数の太陽電池パネルは、１０枚の太陽電池パネル、８枚の太陽電池パネル、４枚の太陽電池パネル、３枚の太陽電池パネル、および２枚の太陽電池パネルから成る群より選択される、一連の複数の太陽電池パネルと、
少なくとも１列の一連の複数パネル専用の実質的に電力同形の光起電力ＤＣ−ＤＣ電力変換器と、
１０枚の太陽電池パネル、８枚の太陽電池パネル、４枚の太陽電池パネル、３枚の太陽電池パネル、および２枚の太陽電池パネルから成る群より選択される、一連の該複数の太陽電池パネルと
から成る群より選択される要素をさらに備える、請求項１０に記載の効率的な太陽エネルギー電力システム。
【請求項１２】
複数の前記ＤＣ光起電力出力のための相互接続ボックスをさらに備える、請求項１に記載の効率的な太陽エネルギー電力システム。
【請求項１３】
前記複数の太陽電池パネルのうちの少なくとも１つと前記相互接続ボックスとの間の電気接続をさらに備え、該複数の太陽電池パネルのうちの該少なくとも１つは、１０枚の太陽電池パネル、８枚の太陽電池パネル、４枚の太陽電池パネル、３枚の太陽電池パネル、および２枚の太陽電池パネルから成る群より選択される、請求項１２に記載の効率的な太陽エネルギー電力システム。
【請求項１４】
第１の電力能力と第２の電力能力との間で動作を切り替える太陽光電力変換動作スイッチをさらに備える、請求項１に記載の効率的な太陽エネルギー電力システム。
【請求項１５】
前記第１の電力能力は、従来の電力変換能力を含み、前記第２の電力変換能力は改良型電力変換能力を含む、請求項１４に記載の効率的な太陽エネルギー電力システム。
【請求項１６】
前記改良型電力変換能力をバイパスする分路スイッチ動作無効化要素をさらに含む、請求項１５に記載の効率的な太陽エネルギー電力システム。
【請求項１７】
複数の太陽電池パネルであって、各太陽電池パネルはＤＣ光起電力出力を有する、複数の太陽電池パネルと、
該ＤＣ光起電力出力から電力を受け取るＤＣ光起電力入力と、
該ＤＣ光起電力入力に対応する第１の様式の光起電力ＤＣ−ＤＣ電力変換回路と、
該ＤＣ光起電力入力に対応する第２の様式の光起電力ＤＣ−ＤＣ電力変換回路と、
少なくとも１つの該ＤＣ光起電力入力に対応する少なくとも１つの光起電力ＤＣ−ＤＣ電力変換器と、
該少なくとも１つの光起電力ＤＣ−ＤＣ電力変換が対応する、高効率多モード変換器機能の制御回路であって、該高効率多モード変換器機能の制御回路は、第１の様式の光起電力ＤＣ−ＤＣ電力変換回路と、第２の様式の光起電力ＤＣ−ＤＣ電力変換回路とを、少なくともいくつかの時点において、切り替えるように構成される、高効率多モード変換器機能の制御回路と、
該少なくとも１つの光起電力ＤＣ−ＤＣ電力変換器に接続される変換された光起電力ＤＣ電力出力と、
該光起電力ＤＣ電力出力に対応する、少なくとも１つの光起電力ＤＣ−ＡＣインバータと、
該少なくとも１つの光起電力ＤＣ−ＡＣインバータに対応する、光起電力ＡＣ電力出力と
を備える、効率的な太陽エネルギー電力システム。
【請求項１８】
前記高効率多モード変換器機能の制御回路は、実質的に電力同形の光起電力変換器機能の制御回路を含む、請求項１７に記載の効率的な太陽エネルギー電力システム。
【請求項１９】
前記実質的に電力同形の光起電力変換器機能の制御回路は、
少なくとも約９８％効率の光起電力変換回路と、
少なくとも約９８．５％効率の光起電力変換回路と、
少なくとも約９８％から最大約９９．２％効率の光起電力変換回路と、
少なくとも約９８．５％から最大約９９．２％効率の光起電力変換回路と、
少なくとも約９８％から最大でほぼワイヤ伝送損失効率の光起電力変換回路と、
少なくとも約９８．５％から最大でほぼワイヤ伝送損失効率の光起電力変換回路と
から成る群より選択される、請求項１８に記載の効率的な太陽エネルギー電力システム。
【請求項２０】
複数の太陽電池パネルの少なくとも１つの連であって、該太陽電池パネルのうちの少なくとも１つはＤＣ光起電力出力を有する、複数の太陽電池パネルの少なくとも１つの連と、
該ＤＣ光起電力出力から電力を受け取るＤＣ光起電力入力と、
少なくとも１つの該ＤＣ光起電力入力に対応する、少なくとも１つの多パネル専用の実質的に電力最大の光起電力電力点ＤＣ−ＤＣ電力変換器と、
該少なくとも１つの多パネル専用の実質的に電力最大の光起電力電力点ＤＣ−ＤＣ電力変換器が対応する、最大光起電力電力点変換器多モード機能の制御回路と、
該少なくとも１つの多パネル専用の実質的に電力最大の光起電力電力点ＤＣ−ＤＣ電力変換器に接続された、変換された光起電力ＤＣ電力出力と、
該光起電力ＤＣ電力出力に対応する、少なくとも１つの光起電力ＤＣ−ＡＣインバータと、
該少なくとも１つの光起電力ＤＣ−ＡＣインバータに対応する、光起電力ＡＣ電力出力と
を備える、効率的な太陽エネルギー電力システム。
【請求項２１】
各々がＤＣ光起電力出力を提供する、複数の太陽光エネルギー源を確立するステップと、
該複数の太陽光エネルギー源からの大きく変動するＤＣ光起電力出力である複数の高電圧を生成するステップと、
複数の個別の高効率スイッチモード光起電力ＤＣ−ＤＣ変換器への個別のＤＣ光起電力入力として大きく変動するＤＣ光起電力出力である、該高電圧の各々を個別に確立するステップと、
個別に高効率変換負荷サイクルが、該個別の高効率スイッチモードの光起電力ＤＣ−ＤＣ変換器内の複数のスイッチ要素の動作を制御するステップと、
光起電力境界条件が、該個別の高効率スイッチモードの光起電力ＤＣ−ＤＣ変換器の各々内の該複数のスイッチ要素を制御するステップと、
最大光起電力電力点が、光起電力境界条件が該複数のスイッチ要素を制御する該ステップに従属する、該個別の高効率スイッチモードの光起電力ＤＣ−ＤＣ変換器の各々内の該複数のスイッチ要素を制御するステップと、
個別のパネル専用の最大光起電力電力点ＤＣ−ＤＣ変換器が、大きく変動するＤＣ光起電力出力である該高電圧の各々を制御するステップと、
個別の専用最大光起電力電力点が、該複数の太陽電池パネルの各々からの該ＤＣ光起電力入力を変換する該ステップを達成しながら、個別に、実質的に電力同形的に、複数の変換されたＤＣ光起電力出力への、大きく変動するＤＣ光起電力出力である該各々の高電圧を変換するステップと、
該複数の変換されたＤＣ光起電力出力を直列に接続して、結合された高電圧が変換された、該複数の太陽電池パネルからのＤＣ光起電力出力を生成するステップと、
該結合された、高電圧に変換されたＤＣ光起電力入力として、より高い電圧が変換されたＤＣ光起電力出力を確立するステップと、
該変換されたＤＣ光起電力入力を高電力変換されたＡＣ光起電力出力に転換するステップと
を包含する、直列の列の太陽光エネルギー電力変換の高効率な方法。
【請求項２２】
個別に、実質的に電力同形的に、大きく変動するＤＣ光起電力出力である該各々の高電圧を変換する該ステップは、
第１の入力端と第１の出力端とを有する、第１の光起電力電力断続スイッチ要素を高効率に切り替えるステップと、
該第１の光起電力電力断続スイッチ要素に接続された第２の入力端を有する、第２の光起電力電力断続スイッチ要素を高効率に切り替えるステップであって、該第２の光起電力電力断続スイッチ要素も、また、第２の出力端を有する、ステップと、
該第１の入力端の該第１の光起電力電力断続スイッチ要素に接続された第１の光起電力電力分路スイッチ要素を高効率に切り替えるステップと、
該第２の入力端の該第２の光起電力電力断続スイッチ要素に接続された第２の光起電力電力分路スイッチ要素を高効率に切り替えるステップと、
該第１の光起電力電力断続スイッチ要素と該第２の光起電力電力断続スイッチ要素との間の一端に接続され、該第１の光起電力電力断続スイッチ要素と第１の光起電力電力分路スイッチ要素とに交差して接続され、該第２の光起電力電力断続スイッチ要素と第２の光起電力電力分路スイッチ要素とに交差して接続された並列キャパシタンスに並列エネルギーを容量的に格納するステップと
をさらに包含する、請求項２１に記載の直列の列の太陽光エネルギー電力変換の高効率な方法。
【請求項２３】
個別に、実質的に電力同形的に、大きく変動するＤＣ光起電力出力である該各々の高電圧を変換する該ステップは、
第１の様式の光起電力ＤＣ−ＤＣ電力変換と、第２の様式の光起電力ＤＣ−ＤＣ電力変換とを、少なくともいくつかの時点において、代替的に切り替えるステップと、
光起電力負荷インピーダンスが増加するステップと、
光起電力負荷インピーダンスが減少するステップと、
光起電力負荷インピーダンスが増加するステップ、および光起電力負荷インピーダンスが減少するステップの両方と、
光起電力電圧が増加するステップと、
光起電力電圧が減少するステップと、
光起電力電圧が増加するステップ、および光起電力電圧が減少するステップの両方と、
光起電力変換境界条件を制御するステップと、
光起電力ＤＣ−ＤＣ変換器の制御を介して、後部光起電動作条件を制御するステップと、
光起電力ＤＣ−ＤＣ変換器の制御を介して、後部光起電力要素を保護するステップと、
光起電力ＤＣ−ＤＣ変換器の制御を介して、光起電力変換モードを無効にするステップと、
光起電力ＤＣ−ＤＣ変換器の制御を介して、光起電力インバータを保護するステップと、
光起電力ＤＣ−ＤＣ変換器を制御して、光起電力の特性と協調するステップと、
光起電力ＤＣ−ＤＣ変換器を介して、光起電力変換様式を従属的に制御するステップと、
光起電力ＤＣ−ＤＣ変換器を介して、光起電力インバータが光起電力変換様式を従属的に制御するステップと、
最大光起電力インバータ電流が、光起電力ＤＣ−ＤＣ変換器を制御するステップと、
光起電力インバータ動作条件が、光起電力ＤＣ−ＤＣ変換器を制御するステップと、
光起電力変換器動作条件が、光起電力ＤＣ−ＤＣ変換器を制御するステップと、
従属型光起電力インバータ動作条件が、光起電力ＤＣ−ＤＣ変換器を制御するステップと、
従属型光起電力負荷インピーダンスの増加が、光起電力ＤＣ−ＤＣ変換器を制御するステップと、
従属型光起電力負荷インピーダンスの減少が、光起電力ＤＣ−ＤＣ変換器を制御するステップと、
従属型光起電力電圧の増加が、光起電力ＤＣ−ＤＣ変換器を制御するステップと、
従属型光起電力電圧の減少が、光起電力ＤＣ−ＤＣ変換器を制御するステップと、
従属型光起電力負荷インピーダンスの増加が、光起電力ＤＣ−ＤＣ変換器を制御するステップ、および従属型光起電力負荷インピーダンスの減少が、光起電力ＤＣ−ＤＣ変換器を制御するステップの両方のステップと、
従属型光起電力電圧の増加が、光起電力ＤＣ−ＤＣ変換器を制御するステップ、および従属型光起電力電圧の減少が、光起電力ＤＣ−ＤＣ変換器を制御するステップの両方のステップと、
光起電力境界条件が、光起電力ＤＣ−ＤＣ変換器を制御するステップと、
後部光起電力要素保護が、光起電力ＤＣ−ＤＣ変換器を制御するステップと、
光起電力インバータ保護が、光起電力ＤＣ−ＤＣ変換器を制御するステップと、
光起電力インバータ協調が、光起電力ＤＣ−ＤＣ変換器を制御するステップと、
上記の内容のそれぞれの全ての順列および組み合わせと
から成る群から選択されたステップをさらに包含する、請求項２２に記載の直列の列の太陽光エネルギー電力変換の高効率な方法。
【請求項２４】
個別に、実質的に電力同形的に、大きく変動するＤＣ光起電力出力である該各々の高電圧を変換する該ステップは、
太陽光電力が少なくとも約９７％効率で変換するステップと、
太陽光電力が少なくとも約９７．５％効率で変換するステップと、
太陽光電力が少なくとも約９８％効率で変換するステップと、
太陽光電力が少なくとも約９８．５％効率で変換するステップと、
太陽光電力が少なくとも約９７％から最大約９９．２％効率で変換するステップと、
太陽光電力が少なくとも約９７．５％から最大約９９．２％効率で変換するステップと、
太陽光電力が少なくとも約９８％から最大約９９．２％効率で変換するステップと、
太陽光電力が少なくとも約９８．５％から最大約９９．２％効率で変換するステップと、
太陽光電力が少なくとも約９７％から最大でほぼワイヤ伝送損失効率で変換するステップと、
太陽光電力が少なくとも約９７．５％から最大でほぼワイヤ伝送損失効率で変換するステップと、
太陽光電力が少なくとも約９８％から最大でほぼワイヤ伝送損失効率で変換するステップと、
太陽光電力が少なくとも約９８．５％から最大でほぼワイヤ伝送損失効率で変換するステップと
から成る群から選択されたステップを包含する、請求項２１に記載の直列の列の太陽光エネルギー電力変換の高効率な方法。
【請求項２５】
複数の太陽光エネルギー源を確立するステップであって、各々がＤＣ光起電力出力を提供する、ステップと、
該複数の太陽光エネルギー源から複数の高電圧高変動ＤＣ光起電力出力を生成するステップと、
複数の個別の高効率スイッチモード光起電力ＤＣ−ＤＣ変換器への個別のＤＣ光起電力入力として該高電圧高変動ＤＣ光起電力出力の各々を個別に確立するステップと、
該個別の高効率スイッチモード光起電力ＤＣ−ＤＣ変換器の各々における複数のスイッチ要素の動作を、高効率変換負荷サイクルが個別に制御するステップと、
最大光起電力電力点が、該個別の高効率スイッチモード光起電力ＤＣ−ＤＣ変換器の各々における該複数のスイッチ要素を制御するステップと、
個別のパネル専用の最大光起電力電力点が、該高電圧高変動ＤＣ光起電力出力の各々をＤＣ−ＤＣ変換するステップと、
個別の専用最大光起電力電力点が、該複数の太陽電池パネルの各々からの該ＤＣ光起電力入力を変換する該ステップを達成している間に、該高電圧高変動ＤＣ光起電力出力の各々を、個別に実質的に電力同形的に複数の変換されたＤＣ光起電力出力へ変換するステップと、
該複数の変換されたＤＣ光起電力出力を直列に接続して、該複数の太陽電池パネルから、結合された高電圧変換ＤＣ光起電力出力を生成するステップと、
該結合された高電圧変換ＤＣ光起電力出力を、従来の高電圧高電力ＤＣ−ＡＣインバータに対する変換ＤＣ光起電力入力として確立するステップと、
該変換ＤＣ光起電力入力を高電力変換ＡＣ光起電力出力に従来的に転換するステップと
を包含する、直列の列の太陽光エネルギー電力変換の高効率な方法。
【請求項２６】
前記高電圧高変動ＤＣ光起電力出力の各々を、個別に実質的に電力同形的に変換するステップは、
太陽光電力が少なくとも約９７％効率で変換するステップと、
太陽光電力が少なくとも約９７．５％効率で変換するステップと、
太陽光電力が少なくとも約９８％効率で変換するステップと、
太陽光電力が少なくとも約９８．５％効率で変換するステップと、
太陽光電力が少なくとも約９７％から最大約９９．２％効率で変換するステップと、
太陽光電力が少なくとも約９７．５％から最大約９９．２％効率で変換するステップと、
太陽光電力が少なくとも約９８％から最大約９９．２％効率で変換するステップと、
太陽光電力が少なくとも約９８．５％から最大約９９．２％効率で変換するステップと、
太陽光電力が少なくとも約９７％から最大でほぼワイヤ伝送損失効率で変換するステップと、
太陽光電力が少なくとも約９７．５％から最大でほぼワイヤ伝送損失効率で変換するステップと、
太陽光電力が少なくとも約９８％から最大でほぼワイヤ伝送損失効率で変換するステップと、
太陽光電力が少なくとも約９８．５％から最大でほぼワイヤ伝送損失効率で変換するステップと
から成る群から選択されたステップを包含する、請求項２５に記載の直列の列の太陽光エネルギー電力変換の高効率な方法。
【請求項２７】
複数の太陽電池パネルのうちの少なくとも１つの太陽電池パネルからＤＣ光起電力出力を生成するステップと、
少なくとも１つのＤＣ光起電力出力に対する光起電力ＤＣ−ＤＣ変換器への少なくとも１つのＤＣ光起電力入力の少なくとも一部として、該光起電力出力を確立するステップと、
該少なくとも１つのＤＣ光起電力入力を、変換ＤＣ光起電力出力に実質的に電力同形的に変換するステップと、
該光起電力ＤＣ−ＤＣ変換器が、該少なくとも１つのＤＣ光起電力入力を該変換ＤＣ光起電力出力に変換するように作用している間に、最大光起電力電力点が、該光起電力ＤＣ−ＤＣ変換器の動作を少なくとも数回、実質的に電力同形的に多モード出力制御するステップと、
少なくとも１つのＤＣ−ＡＣインバータへの変換ＤＣ光起電力入力の少なくとも一部として該変換ＤＣ光起電力出力を確立するステップと、
該変換ＤＣ光起電力入力を転換ＡＣ光起電力出力に転換するステップと
を包含する、効率的な太陽エネルギー電力生成方法。
【請求項２８】
前記光起電力ＤＣ−ＤＣ変換器が、前記少なくとも１つのＤＣ光起電力入力を前記変換ＤＣ光起電力出力に変換するように作用している間に、最大光起電力電力点が、該光起電力ＤＣ−ＤＣ変換器の動作を少なくとも数回、実質的に電力同形的に多モード出力制御するステップは、該光起電力ＤＣ−ＤＣ変換器が、該少なくとも１つのＤＣ光起電力入力を該変換ＤＣ光起電力出力に変換するように作用している間に、最大光起電力電力点が、該光起電力ＤＣ−ＤＣ変換器の動作を、実質的に電力同形的にデュアルモード出力制御するステップを包含する、請求項２７に記載の効率的な太陽エネルギー電力生成方法。
【請求項２９】
光起電力境界条件が、前記光起電力ＤＣ−ＤＣ変換器を制御するステップと、
前記ＤＣ光起電力出力を境界条件ＤＣ−ＤＣ変換するステップと
をさらに包含する、請求項２７に記載の効率的な太陽エネルギー電力生成方法。
【請求項３０】
前記少なくとも１つのＤＣ光起電力入力を前記変換光起電力出力に実質的に電力同形的に変換するステップは、
太陽光電力が少なくとも約９８％効率で変換するステップと、
太陽光電力が少なくとも約９８．５％効率で変換するステップと、
太陽光電力が少なくとも約９８％から最大約９９．２％効率で変換するステップと、
太陽光電力が少なくとも約９８．５％から最大約９９．２％効率で変換するステップと、
太陽光電力が少なくとも約９８％から最大でほぼワイヤ伝送損失効率で変換するステップと、
太陽光電力が少なくとも約９８．５％から最大でほぼワイヤ伝送損失効率で変換するステップと
から成る群から選択されたステップを包含する、請求項２７に記載の効率的な太陽エネルギー電力生成方法。
【請求項３１】
第１の電力能力と第２の電力能力との間で太陽電力変換を切り替えるステップをさらに包含する、請求項２７に記載の効率的な太陽エネルギー電力生成方法。
【請求項３２】
前記第１の電力能力と第２の電力能力との間で太陽電力変換を切り替えるステップは、前記ＤＣ光起電力入力を従来的に電力変換するステップと、該ＤＣ光起電力入力を改良型電力変換するステップとの間で切り替えるステップを包含する、請求項３１に記載の効率的な太陽エネルギー電力生成方法。
【請求項３３】
前記ＤＣ光起電力入力を従来的に電力変換するステップは、改良型電力変換をバイパスするように、分路スイッチ動作無効化要素を動作するステップをさらに包含する、請求項３２に記載の効率的な太陽エネルギー電力生成方法。
【請求項３４】
複数の太陽電池パネルのうちの少なくとも１つの太陽電池パネルからＤＣ光起電力出力を生成するステップと、
少なくとも１つのＤＣ光起電力出力に対する光起電力ＤＣ−ＤＣ変換器への少なくとも１つのＤＣ光起電力入力の少なくとも一部として、該光起電力出力を確立するステップと、
該少なくとも１つのＤＣ光起電力入力を、少なくとも数回の第１の様式の光起電力ＤＣ−ＤＣ電力変換と、少なくとも数回の第２の様式の光起電力ＤＣ−ＤＣ電力変換を介して、変換ＤＣ光起電力出力に変換するステップと、
該光起電力ＤＣ−ＤＣ変換器が、該少なくとも１つのＤＣ光起電力入力を該変換ＤＣ光起電力出力に変換するように作用している間に、該光起電力ＤＣ−ＤＣ変換器の動作を多モード出力制御するステップと、
該第１の様式の光起電力ＤＣ−ＤＣ電力変換と該第２の様式の光起電力ＤＣ−ＤＣ電力変換との間の移行のために、該光起電力ＤＣ−ＤＣ変換器の高効率転換を制御するステップと、
少なくとも１つのＤＣ−ＡＣインバータへの変換ＤＣ光起電力入力の少なくとも一部として該変換ＤＣ光起電力出力を確立するステップと、
該変換ＤＣ光起電力入力を転換ＡＣ光起電力出力に転換するステップと
を包含する、効率的な太陽エネルギー電力生成方法。
【請求項３５】
前記第１の様式の光起電力ＤＣ−ＤＣ電力変換と前記第２の様式の光起電力ＤＣ−ＤＣ電力変換との間の移行のために、前記光起電力ＤＣ−ＤＣ変換器の高効率転換を制御するステップは、
該第１の様式の光起電力ＤＣ−ＤＣ電力変換と該第２の様式の光起電力ＤＣ−ＤＣ電力変換との間の該ＤＣ−ＤＣ変換器のモード移行のために最小パルス幅を利用するステップ、該第１の様式の光起電力ＤＣ−ＤＣ電力変換と該第２の様式の光起電力ＤＣ−ＤＣ電力変換との間の該ＤＣ−ＤＣ変換器の移行のためにバーストモード切り替えするステップ、該第１の様式の光起電力ＤＣ−ＤＣ電力変換と該第２の様式の光起電力ＤＣ−ＤＣ電力変換との間の該ＤＣ−ＤＣ変換器の移行のために特定の負荷サイクルレベルのオケージョナルバーストを利用するステップ、該第１の様式の光起電力ＤＣ−ＤＣ電力変換と該第２の様式の光起電力ＤＣ−ＤＣ電力変換との間の該ＤＣ−ＤＣ変換器の移行のために約２％の最小負荷サイクルを利用するステップ、該第１の様式の光起電力ＤＣ−ＤＣ電力変換と該第２の様式の光起電力ＤＣ−ＤＣ電力変換との間の該ＤＣ−ＤＣ変換器の移行のために約１０％の負荷サイクルを利用するステップ、該第１の様式の光起電力ＤＣ−ＤＣ電力変換と該第２の様式の光起電力ＤＣ−ＤＣ電力変換との間の該ＤＣ−ＤＣ変換器の周波数変更切り替えモード移行を制御するステップ、該第１の様式の光起電力ＤＣ−ＤＣ電力変換と該第２の様式の光起電力ＤＣ−ＤＣ電力変換との間の該ＤＣ−ＤＣ変換器の高効率モード移行を行うためにモード移行レベルに近いときを決定するステップ、該第１の様式の光起電力ＤＣ−ＤＣ電力変換と該第２の様式の光起電力ＤＣ−ＤＣ電力変換との間の該ＤＣ−ＤＣ変換器のモード移行を制御するために光起電力ＤＣ−ＤＣ電力変換のモードを交互にするステップ、該第１の様式の光起電力ＤＣ−ＤＣ電力変換と該第２の様式の光起電力ＤＣ−ＤＣ電力変換との間の該ＤＣ−ＤＣ変換器のモード移行のために低減したレベルの変換を制御するステップ、該第１の様式の光起電力ＤＣ−ＤＣ電力変換と該第２の様式の光起電力ＤＣ−ＤＣ電力変換との間の該ＤＣ−ＤＣ変換器の高効率モード移行のためにモード変化が初期になるように動作を変更するステップ、該第１の様式の光起電力ＤＣ−ＤＣ電力変換と該第２の様式の光起電力ＤＣ−ＤＣ電力変換との間の該ＤＣ−ＤＣ変換器のモード移行のために過渡対向モードを制御するステップ、該第１の様式の光起電力ＤＣ−ＤＣ電力変換と該第２の様式の光起電力ＤＣ−ＤＣ電力変換との間の該ＤＣ−ＤＣ変換器のモード移行の一部として動作の対向する切り替えモードを過渡的に確立するステップと、これらのステップの全ての順列および組み合わせから成る群より選択されるステップを包含する、請求項３４に記載の効率的な太陽エネルギー電力生成方法。
【請求項３６】
太陽電池パネルの列の少なくとも１つの太陽電池パネルからＤＣ光起電力出力を生成するステップと、
少なくとも１つのＤＣ光起電力出力に対する光起電力ＤＣ−ＤＣ変換器への少なくとも１つのＤＣ光起電力入力の少なくとも一部として、該ＤＣ光起電力出力を確立するステップと、
複数のパネル専用の実質的に電力最大光起電力点が、該少なくとも１つのＤＣ光起電力入力を変換ＤＣ光起電力出力に変換するステップと、
該光起電力ＤＣ−ＤＣ変換器が、該少なくとも１つのＤＣ光起電力入力を該変換ＤＣ光起電力出力に変換するように作用している間に、最大光起電力点が、該光起電力ＤＣ−ＤＣ変換器の動作を多モード出力制御するステップと、
該変換ＤＣ光起電力出力を、少なくとも１つのＤＣ−ＡＣインバータへの変換ＤＣ光起電力入力の少なくとも一部として確立するステップと、
該変換ＤＣ光起電力入力を転換ＡＣ光起電力出力に転換するステップと
を包含する、効率的な太陽エネルギー電力生成方法。
【請求項３７】
前記光起電力ＤＣ−ＤＣ変換器が、前記少なくとも１つのＤＣ光起電力入力を前記変換ＤＣ光起電力出力に変換するように作用している間に、最大光起電力点が、該光起電力ＤＣ−ＤＣ変換器の動作を制御するステップは、
該第１の様式の光起電力ＤＣ−ＤＣ電力変換と該第２の様式の光起電力ＤＣ−ＤＣ電力変換との間で、少なくとも数回交代するステップ、光起電力負荷インピーダンスが増大するステップ、光起電力負荷インピーダンスが減少するステップ、光起電力負荷インピーダンスが増大するステップおよび光起電力負荷インピーダンスが減少するステップが共に起こるステップ、光起電力電圧が増大するステップ、光起電力電圧が減少するステップ、光起電力電圧が増大するステップおよび光起電力電圧が減少するステップが少なくとも数回共に起こるステップ、光起電力電圧が増大し、その後光起電力電圧が減少するステップが少なくとも数回共に起こるステップ、光起電力電圧が減少し、その後光起電力電圧が増大するステップが少なくとも数回共に起こるステップ、光起電力変換境界条件を制御するステップ、光起電力ＤＣ−ＤＣ変換器の制御を介して、後部光起電力動作条件を制御するステップ、光起電力ＤＣ−ＤＣ変換器の制御を介して、後部光起電力インバータを保護するステップと、光起電力ＤＣ−ＤＣ変換器の制御を介して、光起電力変換モードを無効にするステップと、光起電力ＤＣ−ＤＣ変換器の制御を介して、光起電力インバータを保護するステップと、光起電力ＤＣ−ＤＣ変換器を制御して、光起電力の特性と協調するステップと、光起電力ＤＣ−ＤＣ変換器を介して、光起電力変換様式を従属的に制御するステップと、光起電力ＤＣ−ＤＣ変換器を介して、光起電力インバータが光起電力変換様式を従属的に制御するステップと、最大光起電力インバータ電流が、光起電力ＤＣ−ＤＣ変換器を制御するステップと、光起電力インバータ動作条件が、光起電力ＤＣ−ＤＣ変換器を制御するステップと、光起電力変換器動作条件が、光起電力ＤＣ−ＤＣ変換器を制御するステップと、従属型光起電力インバータ動作条件が、光起電力ＤＣ−ＤＣ変換器を制御するステップと、従属型光起電力負荷インピーダンスの増加が、光起電力ＤＣ−ＤＣ変換器を制御するステップと、従属型光起電力負荷インピーダンスの減少が、光起電力ＤＣ−ＤＣ変換器を制御するステップと、従属型光起電力電圧の増加が、光起電力ＤＣ−ＤＣ変換器を制御するステップと、従属型光起電力電圧の減少が、光起電力ＤＣ−ＤＣ変換器を制御するステップと、従属型光起電力負荷インピーダンスの増加が、光起電力ＤＣ−ＤＣ変換器を制御するステップ、および従属型光起電力負荷インピーダンスの減少が、光起電力ＤＣ−ＤＣ変換器を制御するステップの両方のステップと、従属型光起電力電圧の増加が、光起電力ＤＣ−ＤＣ変換器を制御するステップ、および従属型光起電力電圧の減少が、光起電力ＤＣ−ＤＣ変換器を制御するステップの両方のステップと、光起電力境界条件が、光起電力ＤＣ−ＤＣ変換器を制御するステップと、後部光起電力要素保護が、光起電力ＤＣ−ＤＣ変換器を制御するステップと、光起電力インバータ保護が、光起電力ＤＣ−ＤＣ変換器を制御するステップと、光起電力インバータ協調が、光起電力ＤＣ−ＤＣ変換器を制御するステップと、前記第１の様式の光起電力ＤＣ−ＤＣ電力変換と前記第２の様式の光起電力ＤＣ−ＤＣ電力変換との間の移行のために、光起電力ＤＣ−ＤＣ変換器の高効率の転換を制御するステップ、該第１の様式の光起電力ＤＣ−ＤＣ電力変換と該第２の様式の光起電力ＤＣ−ＤＣ電力変換との間の該ＤＣ−ＤＣ変換器のモード移行のために最小パルス幅を利用するステップ、該第１の様式の光起電力ＤＣ−ＤＣ電力変換と該第２の様式の光起電力ＤＣ−ＤＣ電力変換との間の該ＤＣ−ＤＣ変換器の移行のためにバーストモード切り替えするステップ、該第１の様式の光起電力ＤＣ−ＤＣ電力変換と該第２の様式の光起電力ＤＣ−ＤＣ電力変換との間の該ＤＣ−ＤＣ変換器の移行のために特定の負荷サイクルレベルのオケージョナルバーストを利用するステップ、該第１の様式の光起電力ＤＣ−ＤＣ電力変換と該第２の様式の光起電力ＤＣ−ＤＣ電力変換との間の該ＤＣ−ＤＣ変換器の移行のために約２％の最小負荷サイクルを利用するステップ、該第１の様式の光起電力ＤＣ−ＤＣ電力変換と該第２の様式の光起電力ＤＣ−ＤＣ電力変換との間の該ＤＣ−ＤＣ変換器の移行のために約１０％の負荷サイクルを利用するステップ、該第１の様式の光起電力ＤＣ−ＤＣ電力変換と該第２の様式の光起電力ＤＣ−ＤＣ電力変換との間の該ＤＣ−ＤＣ変換器の周波数変更切り替えモード移行を制御するステップ、該第１の様式の光起電力ＤＣ−ＤＣ電力変換と該第２の様式の光起電力ＤＣ−ＤＣ電力変換との間の該ＤＣ−ＤＣ変換器の高効率モード移行を行うためにモード移行レベルに近いときを決定するステップ、該第１の様式の光起電力ＤＣ−ＤＣ電力変換と該第２の様式の光起電力ＤＣ−ＤＣ電力変換との間の該ＤＣ−ＤＣ変換器のモード移行を制御するために光起電力ＤＣ−ＤＣ電力変換のモードを交互にするステップ、該第１の様式の光起電力ＤＣ−ＤＣ電力変換と該第２の様式の光起電力ＤＣ−ＤＣ電力変換との間の該ＤＣ−ＤＣ変換器のモード移行のために低減したレベルの変換を制御するステップ、該第１の様式の光起電力ＤＣ−ＤＣ電力変換と該第２の様式の光起電力ＤＣ−ＤＣ電力変換との間の該ＤＣ−ＤＣ変換器の高効率モード移行のためにモード変化が初期になるように動作を変更するステップ、該第１の様式の光起電力ＤＣ−ＤＣ電力変換と該第２の様式の光起電力ＤＣ−ＤＣ電力変換との間の該ＤＣ−ＤＣ変換器のモード移行のために過渡対向モードを制御するステップ、該第１の様式の光起電力ＤＣ−ＤＣ電力変換と該第２の様式の光起電力ＤＣ−ＤＣ電力変換との間の該ＤＣ−ＤＣ変換器のモード移行の一部として動作の対向する切り替えモードを過渡的に確立するステップ、閾値決定式負荷サイクルが、光起電力ＤＣ−ＤＣ変換器を切り替えるステップ、バーストモード負荷サイクルが、光起電力ＤＣ−ＤＣ変換器を切り替えるステップ、閾値決定式モード作動負荷サイクルが、光起電力ＤＣ−ＤＣ変換器を切り替えるステップ、閾値決定式モード不作動負荷サイクルが、光起電力ＤＣ−ＤＣ変換器を切り替えるステップ、光起電力ＤＣ−ＤＣ変換器を最大電圧決定式負荷サイクル切り替えるステップ、光起電力ＤＣ−ＤＣ変換器をインバータ最大電流決定式負荷サイクル切り替えるステップ、最大光起電力電力点負荷サイクルが、光起電力ＤＣ−ＤＣ変換器を切り替えるステップ、光起電力インバータ最大電圧決定式負荷サイクルが、光起電力ＤＣ−ＤＣ変換器を切り替えるステップ、光起電力インバータ最大電流決定式負荷サイクルが、光起電力ＤＣ−ＤＣ変換器を切り替えるステップ、および上記ステップのそれぞれの全ての順列および組み合わせから成る群から選択されたステップを包含する、請求項２７、３４または３６に記載の効率的な太陽エネルギー電力生成方法。
【請求項３８】
前記光起電力ＤＣ−ＤＣ変換器が、前記少なくとも１つのＤＣ光起電力入力を前期変換ＤＣ光起電力出力に変換するように作用している間に、最大光起電力点が、該光起電力ＤＣ−ＤＣ変換器の動作を多モード出力制御するステップは、前記第１の様式の光起電力ＤＣ−ＤＣ電力変換と前記第２の様式の光起電力ＤＣ−ＤＣ電力変換との間の移行のために前記光起電力ＤＣ−ＤＣ変換器の高効率な転換を制御するステップ、および少なくとも１つの光起電力ＤＣＤＣ電力変換の様式をバイパスするために、少なくとも数回、分路スイッチ動作無効化要素を動作するステップから成る群より選択されるステップを包含する、請求項２７、３４または３６に記載の効率的な太陽エネルギー電力生成方法。
【請求項３９】
前記光起電力ＤＣ−ＤＣ変換器を個別の太陽電池パネルと物理的に一体化させるステップをさらに包含する、請求項２７、３４または３６に記載の効率的な太陽エネルギー電力生成方法。
【請求項４０】
前記光起電力ＤＣ−ＤＣ変換器を個別の太陽電池パネルに組み込むステップをさらに包含する、請求項２７、３４または３６に記載の効率的な太陽エネルギー電力生成方法。
【請求項４１】
前記少なくとも１つのＤＣ光変換器入力を前記変換ＤＣ光起電力出力に実質的に電力同形的に変換するステップをさらに包含する、請求項２７、３４または３６に記載の効率的な太陽エネルギー電力生成方法。
【請求項４２】
前記少なくとも１つのＤＣ光変換器入力を変換ＤＣ光起電力出力に実質的に電力同形的に変換するステップまたは前記第１の様式の光起電力ＤＣ−ＤＣ電力変換と前記第２の様式の光起電力ＤＣ−ＤＣ電力変換との間の移行のために、前記光起電力ＤＣ−ＤＣ変換器の高効率転換を制御するステップは、個別のパネル専用の実質的に電力同形的に最大の光起電力電力点が、該少なくとも１つの光起電力入力を変換ＤＣ光起電力出力に変換するステップと、複数のパネル専用の実質的に電力同形的に最大の光起電力電力点が、該少なくとも１つの光起電力入力を変換ＤＣ光起電力出力に変換するステップから成る群より選択されるステップを包含する、請求項２７、３４または３６に記載の効率的な太陽エネルギー電力生成方法。
【請求項４３】
前記少なくとも１つのＤＣ光変換器入力を変換ＤＣ光起電力出力に実質的に電力同形的に変換するステップは、前記光起電力ＤＣ−ＤＣ変換器を太陽電池パネルの列に接続するステップであって、該太陽電池パネルの列は、１０個の太陽電池パネル、８個の太陽電池パネル、４個の太陽電池パネル、３個の太陽電池パネルおよび２個の太陽電池パネルから成る群より選択される、ステップと、直列の列の複数のパネル専用の実質的に電力同形的な最大光起電力電力点が、該少なくとも１つのＤＣ光起電力入力を変換ＤＣ光起電力出力に変換するステップと、１０個の太陽電池パネル、８個の太陽電池パネル、４個の太陽電池パネル、３個の太陽電池パネルおよび２個の太陽電池パネルから成る群より選択される太陽電池パネルの列を生成するステップとから成る群より選択されるステップを包含する、請求項４２に記載の効率的な太陽エネルギー電力生成方法。
【請求項４４】
少なくとも１つのＤＣ光起電力出力に対する光起電力ＤＣ−ＤＣ変換器への少なくとも１つのＤＣ光起電力入力の少なくとも一部として、該ＤＣ光起電力出力を確立するステップは、複数のＤＣ光起電力出力に対する接続ボックスへの少なくとも１つのＤＣ光起電力入力の少なくとも一部として、該ＤＣ光起電力出力を確立するステップを包含する、請求項２７、３４または３６に記載の効率的な太陽エネルギー電力生成方法。
【請求項４５】
前記太陽電池パネルのうちの少なくとも１つを接続ボックスと電気的に接続するステップをさらに包含し、該少なくとも１つの太陽電池パネルは、１０個の太陽電池パネル、８個の太陽電池パネル、４個の太陽電池パネル、３個の太陽電池パネルおよび２個の太陽電池パネルから成る群より選択される、請求項４３に記載の効率的な太陽エネルギー電力生成方法。
【請求項４６】
前記光起電力ＤＣ−ＤＣ変換器の動作を多モード出力制御するステップは、前記第１の様式の光起電力ＤＣ−ＤＣ電力変換と前記第２の様式の光起電力ＤＣ−ＤＣ電力変換との間で、少なくとも数回交代するステップ、光起電力負荷インピーダンスが増大するステップおよび光起電力負荷インピーダンスが減少するステップが共に起こるステップ、光起電力変換境界条件を制御するステップ、光起電力ＤＣ−ＤＣ変換器の制御を介して、後部光起電力動作条件を制御するステップ、光起電力ＤＣ−ＤＣ変換器の制御を介して、後部光起電力インバータを保護するステップ、該光起電力ＤＣ−ＤＣ変換器の動作を実質的に電力同形的に制御するステップ、該光起電力ＤＣ−ＤＣ変換器の制御を介して光起電力変換モードを無効化するステップ、光起電力の特性と協調するために、該光起電力ＤＣ−ＤＣ変換器を該光起電力ＤＣ−ＤＣ変換器の制御を介して、光起電力インバータを保護するステップ、該光起電力ＤＣ０ＤＣ変換器を介して光起電力変換様式を光起電力インバータが従属的に制御するステップから成る群から選択されたステップを包含する、請求項２７、３４または３６に記載の効率的な太陽エネルギー電力生成方法。
【請求項４７】
光起電力ＤＣ−ＤＣ変換器の切り換えモードを閾値決定式に作動するステップと、光起電力ＤＣ−ＤＣ変換器の切り換えモードを閾値決定式に作動させないステップとから成る群から選択されたステップを包含する、請求項２７、３４または３６に記載の効率的な太陽エネルギー電力生成方法。